(57)【要約】      （修正有）【課題】粘着式の紙ピックアップ機構で、テープとテープスクロール装置を収容でき、文書処理装置に応用できる紙ピックアップ機構を提供する。【解決手段】紙ピックアップ機構には、テープＴを設置し、受取り軸３１、展開軸３２、底板５０を備え、展開軸３２と受取り軸３１とは相対的に設置し、底板５０と受取り軸３１と展開軸３２とは、異なる水平高度に設置し、テープＴは展開軸３２上に設置し、底板５０を巡った後、受取り軸３１上に設置し、この時、底板５０片側には一定のテープＴが露出し、しかもテープＴの粘着面は外向きで、紙ピックアップ機構の粘着方式による紙の接着は、各種既存の紙質に適用可能で、最上層の紙にだけ粘着力が作用するよう確保できるため、一度に多数の紙をピックアップすることはなく、また紙をピックアップできないということもなく、しかも受取り軸３１と展開軸３２がテープＴを動かすことにより、底板５０上のテープＴを交換し、使用中の粘性を保持することができる。【選択図】図６
0003190350.tif 000002
【実用新案登録請求の範囲】
【請求項１】
紙ピックアップ機構には、テープを設置し、受取り軸、展開軸、底板を備え、
前記底板と前記受取り軸と前記展開軸とは、異なる水平高度に設置し、前記テープは、前記展開軸上に設置し、前記底板を巡った後、前記受取り軸上に設置し、
この時、前記底板片側には一定のテープが露出し、しかも前記テープの粘着面は外向きであることを特徴とする紙ピックアップ機構。
【請求項２】
前記受取り軸は、粘着テープ送り込み板を備え、
前記粘着テープ送り込み板がスライドすると、その一端は、前記テープに接触し、これにより前記テープは、前記展開軸より送り出されることを特徴とする請求項１に記載の紙ピックアップ機構。
【請求項３】
前記粘着テープ送り込み板一端には、第一ローラーを設置し、しかも前記第一ローラーは、前記底板片側に設置し、
前記底板の反対側には、第二ローラーを設置し、
前記テープは、前記展開軸より順番に、前記第一ローラー、前記底板、前記第二ローラーを巡った後、前記受取り軸に設置されることを特徴とする請求項２に記載の紙ピックアップ機構。
【請求項４】
前記展開軸と前記受取り軸は、本体内に設置し、
前記底板は、本体底部に設置し、
前記粘着テープ送り込み板は、本体前側に設置し、
前記本体片側には、第一壁を設置し、
前記展開軸と前記受取り軸は、前記第一壁内に設置することを特徴とする請求項３に記載の紙ピックアップ機構。
【請求項５】
前記受取り軸はさらに、スクロールギア、コントロールギアアセンブリを備え、
前記スクロールギアは、前記第一壁上に回転可能状に設置し、
前記スクロールギア側辺は、回転軸スリーブを延伸し、前記回転軸スリーブは、前記第一壁を貫通し、
前記受取り軸一端は、前記回転軸スリーブ内に設置し、
前記展開軸は、前記受取り軸前方に位置し、
前記コントロールギアアセンブリは、前記第一壁外表面に設置し、回転ギア、第一ドライビングギア、第二ドライビングギア、スイングアーム、昇降ギアを備え、
前記第一ドライビングギアと前記第二ドライビングギアとは、前記回転ギアの両側にそれぞれ設置し、前記回転ギアと結合し、前記スイングアーム上に一緒に設置し、
前記スイングアームは、細長い形状で、中央部、及び相対する第一端と第二端を備え、
前記第一端は、前記第二端前方に位置し、
前記回転ギアは、前記第一壁と前記中央部上に回転可能状に設置し、
前記第一ドライビングギアは、前記第一端に、回転可能状に設置し、
前記第二ドライビングギアは、前記第二端に、回転可能状に設置し、
前記昇降ギアは、前記第一ドライビングギア下方に位置し、前記第一壁に回転可能状に設置し、
前記粘着テープ送り込み板は、弾性回復力を備え、前記粘着テープ送り込み板は、側板を備え、前記側板は、前記第一壁外表面まで延伸し、前記側板後端には、垂直に配列する複数のギアを備え、前記昇降ギアは、前記ギアと噛み合い、
前記スクロールギアは、前記ドライビングギア下方に位置することを特徴とする請求項４に記載の紙ピックアップ機構。
【請求項６】
前記粘着テープ送り込み板上縁は、後方へと頂片を延伸し、
前記頂片と前記第一壁頂点部とは相対し、前記頂片と前記第一壁頂点部との間には、バネを設置し、
前記バネの両端は、前記頂片と前記第一壁にそれぞれ固定して連接し、弾性回復力を付与することを特徴とする請求項５に記載の紙ピックアップ機構。
【請求項７】
前記回転軸スリーブと前記受取り軸との間には、第一単方向トルクバネを設置することを特徴とする請求項６に記載の紙ピックアップ機構。
【請求項８】
前記展開軸が前記第一壁に結合する位置は、軸スリーブを通して固定し、
前記軸スリーブ内には、第二単方向トルクバネを備え、
前記第二単方向トルクバネは、前記軸スリーブと前記展開軸に連接することを特徴とする請求項７に記載の紙ピックアップ機構。
【請求項９】
前記受取り軸は、正回転のみを行い、
前記展開軸は、逆回転のみを行うことを特徴とする請求項８に記載の紙ピックアップ機構。
【請求項１０】
前記粘着テープ送り込み板と前記底板とは、相互に垂直であることを特徴とする請求項９に記載の紙ピックアップ機構。
【考案の詳細な説明】
【技術分野】
【０００１】
本考案は紙ピックアップ機構に関し、特に粘着式の紙ピックアップ機構で、テープとテープスクロール装置を収容でき、ファックス、コピー機、或いはスキャナーなどの文書処理装置に応用できる紙ピックアップ機構に関する。
【背景技術】
【０００２】
ファックス、コピー機、スキャナー、或いはブックスキャナーなどの文書画像処理装置はどれも、紙ピックアップ機構を応用する必要がある。紙のピックアップを完成させなければ、次の動作に進むことはできない。もし、紙ピックアップの過程でエラーがあれば、紙が詰まり、機器が停止してしまう可能性がある。
【０００３】
現在市販されている紙ピックアップ機構の多くは、座屈装置、或いは真空吸引装置により、紙ピックアップを行っている。しかし、上記した各種方式は、さまざまな紙質への対応において、エラーが発生する可能性がある。もし、一度に二枚以上の紙をピックアップしてしまったら、或いは紙をピックアップできなかったら、コピー機は紙詰まりを起こし、或いは紙が無いと判断し、コピー機は停止してしまう。
【０００４】
また、別種の紙ピックアップ機構は、静電装置を備え、表面静電を利用し、吸着能力を生じ、紙ピックアップを行う。この方法は、紙質の違いに対応することができるが、静電装置は高価であるため、使用範囲は制限されざるを得ない。
【０００５】
紙ピックアップ機構の紙ピックアップ能力を、各種の紙に適応させるため、粘着式の紙ピックアップ機構により紙ピックアップを行う。それは、粘着テープにより、各種の紙を粘着するもので、その紙ピックアップ効果は、静電装置と同様である。しかし、粘着テープは一定時間使用すると、粘性が低下するため、紙ピックアップに失敗する恐れがある。本考案は、従来の紙ピックアップ機構の上記した欠点に鑑みてなされたものである。
【考案の概要】
【考案が解決しようとする課題】
【０００６】
本考案が解決しようとする課題は、粘着方式を採用して紙ピックアップを行い、しかも粘性が低下すると、新しい粘着テープに便利に交換でき、これにより紙ピックアップ効果を保持することができ、しかも装置の製造コストが低廉である紙ピックアップ機構を提供することである。
【課題を解決するための手段】
【０００７】
上記課題を解決するため、本考案は下記の紙ピックアップ機構を提供する。
紙ピックアップ機構には、テープを設置し、受取り軸、展開軸、底板を備え、
該展開軸と該受取り軸とは、相対的に設置し、
該底板と該受取り軸と該展開軸とは、異なる水平高度に設置し、
該テープは、該展開軸上に設置し、該底板を巡った後、該受取り軸上に設置し、
この時、該底板片側には一定のテープが露出し、しかも該テープの粘着面は外向きで、
該受取り軸は、粘着テープ送り込み板を備え、
該粘着テープ送り込み板がスライドすると、その一端は、該テープに接触し、これにより該テープは、該展開軸より送り出され、
該粘着テープ送り込み板と該底板とは、相互に垂直で、
該粘着テープ送り込み板一端には、第一ローラーを設置し、しかも該第一ローラーは、該底板片側に設置し、
該底板の反対側には、第二ローラーを設置し、
該テープは、該展開軸より順番に、該第一ローラー、該底板、該第二ローラーを巡った後、該受取り軸に設置され、
該受取り軸は、正回転のみを行い、
該展開軸は、逆回転のみを行い、
該展開軸と該受取り軸は、本体内に設置し、
該底板は、本体底部に設置し、
該粘着テープ送り込み板は、本体前側に設置し、
該本体片側には、第一壁を設置し、
該展開軸と該受取り軸は、該第一壁内に設置し、
該紙ピックアップ機構はさらに、スクロールギアを備え、
該スクロールギアは、該第一壁上に回転可能状に設置し、
該スクロールギア側辺は、回転軸スリーブを延伸し、該回転軸スリーブは、該第一壁を貫通し、
該受取り軸一端は、該回転軸スリーブ内に設置し、
該展開軸は、該受取り軸前方に位置し、
該紙ピックアップ機構はさらに、コントロールギアアセンブリを備え、
該コントロールギアアセンブリは、該第一壁外表面に設置し、回転ギア、第一ドライビングギア、第二ドライビングギア、スイングアーム、昇降ギアを備え、
該第一ドライビングギアと該第二ドライビングギアとは、該回転ギアの両側にそれぞれ設置し、該回転ギアと結合し、該スイングアーム上に一緒に設置し、
該スイングアームは、細長い形状で、中央部、及び相対する第一端と第二端を備え、    該第一端は、該第二端前方に位置し、
該回転ギアは、該第一壁と該中央部上に回転可能状に設置し、
該第一ドライビングギアは、該第一端に、回転可能状に設置し、
該第二ドライビングギアは、該第二端に、回転可能状に設置し、
該昇降ギアは、該第一ドライビングギア下方に位置し、該第一壁に回転可能状に設置し、
該粘着テープ送り込み板は、弾性回復力を備え、該粘着テープ送り込み板は、側板を備え、該側板は、該第一壁外表面まで延伸し、該側板後端には、垂直に配列する複数のギアを備え、該昇降ギアは、該ギアと噛み合い、
該スクロールギアは、該ドライビングギア下方に位置し、
該粘着テープ送り込み板上縁は、後方へと頂片を延伸し、
該頂片と該第一壁頂点部とは相対し、該頂片と該第一壁頂点部との間には、バネを設置し、
該バネの両端は、該頂片と該第一壁にそれぞれ固定して連接し、弾性回復力を付与し、
該回転軸スリーブと該受取り軸との間には、第一単方向トルクバネを設置し、
該展開軸が該第一壁に結合する位置は、軸スリーブを通して固定し、
該軸スリーブ内には、第二単方向トルクバネを備え、
該第二単方向トルクバネは、該軸スリーブと該展開軸に連接する。
【考案の効果】
【０００８】
本考案の紙ピックアップ機構は、粘着方式により紙を接着するため、その方式は、各種既存の紙質に適用可能で、最上層の紙にだけ粘着力が作用するよう確保できるため、一度に多数の紙をピックアップすることはなく、また紙をピックアップできないということもなく、しかも受取り軸と展開軸がテープを動かすことにより、底板上のテープを交換し、使用中の粘性を保持することができる。
【図面の簡単な説明】
【０００９】
【図１】紙ピックアップ機構の立体図である。
【図２】図１のギアアセンブリの局部拡大図である。
【図３】本考案紙ピックアップ機構のコントロールギアアセンブリが、粘着テープ送り込み板をコントロールする時の模式図である。
【図４】本考案紙ピックアップ機構のコントロールギアアセンブリが、受取り軸をコントロールする時の模式図である。
【図５】図１のギアアセンブリの分解図である。
【図６】図１の紙ピックアップ機構にテープを設置した後の模式図である。
【考案を実施するための形態】
【００１０】
以下に図面を参照しながら本考案を実施するための最良の形態について詳細に説明する。
【実施例】
【００１１】
図１に示すように、本考案の紙ピックアップ機構１は、文書画像処理装置内に設置する。紙ピックアップ機構１には、テープＴを設置し（図６参照）、本体１０、ギアアセンブリ２０、回転軸アセンブリ３０、粘着テープ送り込み板４０、底板５０、動力アセンブリ６０を備える。ギアアセンブリ２０、回転軸アセンブリ３０、粘着テープ送り込み板４０、底板５０は、本体１０上に設置する。動力アセンブリ６０は、ギアアセンブリ２０に接続し、ギアアセンブリ２０は、回転軸アセンブリ３０及び粘着テープ送り込み板４０に接続する。動力アセンブリ６０は、動力を送り込むことができる。ギアアセンブリ２０は、動力アセンブリ６０の動力により、回転軸アセンブリ３０と粘着テープ送り込み板４０とを駆動する。    
【００１２】
本体１０は、相対させて設置する第一壁１１、第二壁１２、頂壁１３を備える。頂壁１３は、第一壁１１及び第二壁１２の上端縁に連接する。
【００１３】
ギアアセンブリ２０は、第一壁１１外表面に設置し、動力可動接続ギアアセンブリ２１、コントロールギアアセンブリ２２を備える。動力可動接続ギアアセンブリ２１は、コントロールギアアセンブリ２２と噛み合う。
【００１４】
図２に示すように、動力可動接続ギアアセンブリ２１は、ウォームギア２１０、第一水平出力ギア２１１、第二水平出力ギア２１２を備える。ウォームギア２１０側面には、ウォームギア２１０と一体成型する第一受動ギアＤ１を備える。第一受動ギアＤ１と第一水平出力ギア２１１とは、結合する。第一水平出力ギア２１１側面には、第一水平出力ギア２１１と一体成型する第二受動ギアＤ２を備える。第二受動ギアＤ２と第二水平出力ギア２１２とは、結合する。第二水平出力ギア２１２側面には、第二水平出力ギア２１２と一体成型する第三受動ギアＤ３を備える。
【００１５】
コントロールギアアセンブリ２２は、回転ギア２２０、第一ドライビングギア２２１、第二ドライビングギア２２２、スイングアーム２２３、スクロールギア２２４、昇降ギア２２５を備える。第三受動ギアＤ３と回転ギア２２０とは、結合する。第一ドライビングギア２２１と第二ドライビングギア２２２は、回転ギア２２０の両側にそれぞれ設置し、回転ギア２２０と結合し、スイングアーム２２３上に一緒に設置される。スイングアーム２２３は、細長い形状で、中央部２２３０、及び相対する第一端２２３１と第二端２２３２を備える。第一端２２３１は、第二端２２３２の前方に位置する。回転ギア２２０は、第一壁１１と中央部２２３０に、回転可能状に設置する。第一ドライビングギア２２１は、第一端２２３１に回転可能状に設置する。第二ドライビングギア２２２は、第二端２２３２に回転可能状に設置する。昇降ギア２２５は、第一ドライビングギア２２１下方に位置し、第一壁１１に回転可能状に設置する。スクロールギア２２４は、第二ドライビングギア２２２下方に位置し、第一壁１１に回転可能状に設置する。
【００１６】
図３に示すように、ウォームギア２１０が正方向に回転すると、回転ギア２２０は連動され、逆方向に回転する。これにより、スイングアーム２２３は、回転ギア２２０の推進力を受け、第一ドライビングギア２２１と昇降ギア２２５とが結合するまで回転する。図４に示すように、ウォームギア２１０が逆方向に回転すると、回転ギア２２０は連動され、正方向に回転する。これにより、スイングアーム２２３は、回転ギア２２０の推進力を受け、第二ドライビングギア２２２とスクロールギア２２４とが結合するまで回転する。
【００１７】
図５に示すように、スクロールギア２２４側辺は、円形の回転軸スリーブ２２４０を延伸する。回転軸スリーブ２２４０は、第一壁１１を貫通し、第二壁１２と相対する。
【００１８】
第二壁１２と昇降ギア２２５との相対位置には、別の昇降ギア２２６を設置し、連動棒２２７を通して、昇降ギア２２５を直列接続する。
【００１９】
回転軸アセンブリ３０は、第一壁１１内表面に設置し、受取り軸３１、展開軸３２を備える。受取り軸３１と展開軸３２とは、第一壁１１と第二壁１２との間を跨ぐ。受取り軸３１一端は、第一壁１１上の回転軸スリーブ２２４０内に設置し、しかも回転軸スリーブ２２４０と受取り軸３１との間には、第一単方向トルクバネ３１０を設置する。これにより、受取り軸３１を正方向にしか回転できないように制限する。
【００２０】
展開軸３２は、受取り軸３１と相対し、受取り軸３１前方に位置し、しかも第一壁１１と第二壁１２に、回転可能状に設置する。展開軸３２の、第一壁１１における結合位置は、軸スリーブ３２０を通して固定する。軸スリーブ３２０内には、第二単方向トルクバネ３２１を備える。第二単方向トルクバネ３２１は、軸スリーブ３２０と展開軸３２に連接する。これにより、展開軸３２を、逆方向にしか回転できないように制限する。
【００２１】
図１に示すように、粘着テープ送り込み板４０は、第一壁１１と第二壁１２の前側縁上にスライド可能状に設置し、しかも弾性回復力を保持し、設置部４１、一対の側板４２を備える。設置部４１と側板４２とは、連接する。設置部４１上には、上下に延伸する一対の溝４１０を設置する。側板４２は、設置部４１両側辺より、後方へと、第一壁１１及び第二壁１２外側表面へとそれぞれ延伸する。側板４２後端には、垂直に配列する複数のギア４２０を備える。
【００２２】
いわゆる弾性回復力とは、粘着テープ送り込み板４０が、外力を受けると弾性移動し、外力が消失すると復位する力を指す。
【００２３】
第一壁１１及び第二壁１２は、前方へと延伸し、一対の嵌合片１１０を備える。嵌合片１１０は、それぞれ前方へと延伸し、続いて垂直方向へと延伸し、おおよそ三角形の逆フック１１１を形成する。嵌合片１１０は、溝４１０内に進入し、逆フック１１１を通して、粘着テープ送り込み板４０を本体１０上に嵌合する。昇降ギア２２５、２２６は、ギア４２０と接合し、これにより、粘着テープ送り込み板４０の上下作動をコントロールする。両側板４２底部は、下方へと一定の距離延伸し、組合せ部４２１をそれぞれ突出する。第一ローラー４２２は、相対する２個の組合せ部４２１上に、回転可能状に横向きに設置する。
【００２４】
いわゆる弾性回復力について、一実施形態における実施方式では、以下の通りである。設置部４１上縁は後方へと頂片４１１を延伸する。頂壁１３と頂片４１１との間には、バネ４１２を設置する。バネ４１２両端は、頂片４１１と頂壁１３にそれぞれ固定して連接する。これにより、粘着テープ送り込み板４０に弾性回復力を与える。他の実施形態における弾性回復機構は、以下の通りであるが、これに限定しない。すなわち、頂片４１１と第一壁１１頂点部は相対し、バネ４１２は、頂片４１１と第一壁１１との間に設置する。
【００２５】
底板５０は、第一壁１１と第二壁１２との間の底部に設置し、第一ローラー４２２と隣接する。第一壁１１と第二壁１２との間には、第二ローラー４２３を横向きに設置する。第二ローラー４２３は、底板５０横に設置し、第一ローラー４２２と相対する。
【００２６】
動力アセンブリ６０は、ウォームギア２１０横に設置し、モーター６１、モーター６１回転軸上に設置するウォーム棒６２を備える。ウォーム棒６２とウォームギア２１０とは、結合する。これにより、モーターの水平回転運動は、垂直回転運動に転換される。
【００２７】
紙ピックアップ機構１は、粘着剤が残らないテープＴにより、紙ピックアップを行う。それは、紙の表面に接着することにより、最上層の紙をピックアップするものである。この方法により、紙ピックアップ時には、確実に紙の上層だけがピックアップされる。紙ピックアップ過程では、次の紙に作用を及ぼすことはなく、確実に紙ピックアップを行うことができる。
【００２８】
図６示すように、具体的な実施時には、粘着剤が残らないテープＴを、展開軸３２上に設置する。これにより、テープＴは、第一ローラー４２２と設置部４１との間を通り、続いて、底板５０下方より第二ローラー４２３外側を巡った後、受取り軸３１上に設置される。この時、底板５０下方には、一部分のテープＴが露出する。テープＴの粘着面は、外に向かい、紙を粘着する。粘着剤が残らないテープＴは、使用後に粘性が低下する。そのため、紙ピックアップ機構１は、自動粘着テープ送り込み機能を備え、これにより展開軸３２上の粘性を備えるテープＴは取り出され、底板５０下方へと移動させられる。
【００２９】
図３〜５に合わせて示すように、紙ピックアップ機構１は、テープ取りステップと回収ステップを備える。テープ取りステップでは先ず、モーター６１は正回転し、ウォーム棒６２を連動する。これにより、ウォームギア２１０は正方向に回転し、コントロールギアアセンブリ２２の第一ドライビングギア２２１を連動し、逆回転を行わせ、粘着テープ送り込み板４０のギア４２０に接続させる。こうして、粘着テープ送り込み板４０をコントロールし下方へ向わせる。粘着テープ送り込み板４０は、第一ローラー４２２を連動し、下方へとテープＴを引き伸ばさせる。受取り軸３１は、第一単方向トルクバネ３１０の制限を受けるため、展開軸３２により、正回転を始め、粘性を備えるテープＴは、粘着テープ送り込み板４０より引き出される。続いて、回収ステップを行う。モーター６１は反回転し、ウォームギア２１０は、逆回転し、コントロールギアアセンブリ２２の第二ドライビングギア２２２を連動し、逆回転させ、スクロールギア２２４に接続させる。これにより、受取り軸３１は正回転し、テープＴを受取り、テープＴをしっかりと張らせる。こうして、底板５０下では、充分な粘性を備えるテープＴに交換され、次の紙ピックアップを行うことができる。
【００３０】
上記したように、紙ピックアップ機構１は、受取り軸３１と展開軸３２がテープＴを動かすことにより、底板５０上のテープＴを交換し、使用中の粘性を保持することができる。粘着方式による紙の接着は、各種既存の紙質に適用可能で、最上層の紙にだけ粘着力が作用するよう確保できるため、一度に多数の紙をピックアップすることはなく、また紙をピックアップできないということもない。
【符号の説明】
【００３１】
１  紙ピックアップ機構
１１  第一壁
１１０  嵌合片
１１１  逆フック
１２  第二壁
１３  頂壁
２０  ギアアセンブリ
２１  動力可動接続ギアアセンブリ
２１０  ウォームギア
Ｄ１  第一受動ギア
２１１  第一水平出力ギア
Ｄ２  第二受動ギア
２１２  第二水平出力ギア
Ｄ３  第三受動ギア
２２  コントロールギアアセンブリ
２２０  回転ギア
２２１  第一ドライビングギア
２２２  第二ドライビングギア
２２３  スイングアーム
２２３０  中央部
２２３１  第一端
２２３２  第二端
２２４  スクロールギア
２２４０  回転軸スリーブ
２２５  昇降ギア
２２６  昇降ギア
２２７  連動棒
３０  回転軸アセンブリ
３１  受取り軸
３１０  第一単方向トルクバネ
３２  展開軸
３２０  軸スリーブ
３２１  第二単方向トルクバネ
４０  粘着テープ送り込み板
４１    設置部
４１０  溝
４１１  頂片
４１２  バネ
４２  側板
４２０  ギア
４２１  組合せ部
４２２  第一ローラー
４２３  第二ローラー
５０  底板
６０  動力アセンブリ
６１  モーター
６２  ウォーム棒
Ｔ  テープ
【図１】
0003190350.tif 000003
【図２】
0003190350.tif 000004
【図３】
0003190350.tif 000005
【図４】
0003190350.tif 000006
【図５】
0003190350.tif 000007
【図６】
0003190350.tif 000008